(57)【要約】【課題】軸筒が、前部軸筒と後部軸筒とで構成され、前部軸筒と後部軸筒を、外方に突出したフランジ部を有する金属製の継手部材を介して連結する構造において、少なくとも金属製の前部軸筒または後部軸筒を継手部材に着脱自在に螺合した際に、継手部材のフランジ部が傷つかないような構造にする。【解決手段】後部軸筒２０に配設する内部材２１に後部軸筒２０の開口先端面２０ａに当接する先端部２２を設ける。継手部材１４のフランジ部１３に前記先端部２２を嵌入する環状の凹溝１８を設ける。継手部材１４の雄ねじ部１６に後部軸筒２０の内部材２１の雌ねじ部２３を螺合して締め付けた際に、内部材２１の先端部２２が継手部材１４の凹溝１８に嵌入しフランジ部１３で被覆されるようにする。【選択図】図５
2010052309.tif 000002
【特許請求の範囲】
【請求項１】
軸筒が前部軸筒と後部軸筒とで構成され、外方に突出したフランジ部を有する金属製の継手部材を、フランジ部が外方に露出するように前部軸筒または後部軸筒に固着し、少なくとも金属製の後部軸筒または前部軸筒の内部に樹脂で形成した雌ねじ部を有した内部材を固着し、該内部材の雌ねじを継手部材に形成した雄ねじ部に螺合することで、前部軸筒と後部軸筒とを着脱自在に連結してなる軸筒の連結構造において、前記内部材に、後部軸筒または前部軸筒の継手部材のフランジ部側となる開口端面に当接して前方に位置する先端部を設け、継手部材のフランジ部に前記先端部を嵌入する環状の凹部を設け、継手部材の雄ねじ部に内部材の雌ねじ部を螺合して締め付けた際に、内部材の先端部が継手部材のフランジ部の凹部に嵌入しフランジ部で被覆されることを特徴とする軸筒の連結構造。
【発明の詳細な説明】
【技術分野】
【０００１】
本発明は、軸筒が前部軸筒と後部軸筒とで構成され、継手部材を介して前部軸筒と後部軸筒とを着脱自在に連結可能とした、軸筒の連結構造に関する。
【背景技術】
【０００２】
筆記具において、軸筒が前部軸筒と後部軸筒とで構成されて、前部軸筒と後部軸筒とを着脱自在に連結可能とした構造のものがある。例えば、先端にペンを装着した前部軸筒とインキカートリッジ等を収容する後部軸筒（胴軸とも呼ばれている）を有する万年筆等である。
【０００３】
前部軸筒と後部軸筒を着脱自在に連結可能とするには、前部軸筒に設けたねじ部と後部軸筒に設けたねじ部とを螺合することにより連結する構造が一般的であるが、最近では、前部軸筒と後部軸筒との間に外方に突出したフランジ部を有する継手部材を介在して連結した構造のものがある。例えば、外方に突出したフランジ部を有する継手部材を、フランジ部より前方部分に設けた雄ねじ部に前部軸筒の後端部に設けた雌ねじ部を螺合し、かつ接着剤により前部軸筒に固着し、フランジ部より後方部分に設けた雄ねじ部に後部軸筒の先端部に設けた雌ねじ部を螺合することで、前部軸筒と後部軸筒を着脱自在に連結する構造のものである。
【０００４】
実開昭５６−９８４８４号公報には、後端部に嵌合用リング１３を取付けた前部軸筒３の外ねじ部（雄ねじ部）６に、継手（継手部材）８の内ねじ部（雌ねじ部）９をねじ嵌合させて嵌合用リング１３を圧着し、継手８の外ねじ部（雄ねじ部）１２に後部軸筒１５の先端部に設けた内ねじ部１６を螺合してなる筆記具の軸筒の連結構造が開示されている。
【０００５】
前記したような連結構造においては、継手部材に設けた雄ねじ部に後部軸筒に設けた雌ねじ部を螺合した際に、後部軸筒の先端が当接するフランジ部が設けられている。こうしたフランジ部は、装飾的な意味合いもあるが、継手部材に後部軸筒または前部軸筒を螺合した際の螺合のストッパー的役割があり、継手部材は金属で形成するのが一般的である。
【０００６】
ところで、軸筒には金属製のものもあり、前部軸筒または後部軸筒を継手部材に何度も螺合して締め付けるために、前部軸筒または後部軸筒の端面が継手部材のフランジ部に何度も当接して回転し、前部軸筒または後部軸筒の端面で継手部材のフランジ部を傷つけてしまうという問題があった。
【特許文献１】実開昭５６−９８４８４号公報
【発明の開示】
【発明が解決しようとする課題】
【０００７】
本発明は、軸筒が前部軸筒と後部軸筒とで構成され、外方に突出したフランジ部を有する金属製の継手部材を、フランジ部が外方に露出するように前部軸筒または後部軸筒に固着し、少なくとも金属製の後部軸筒または前部軸筒の内部に樹脂で形成した雌ねじ部を有した内部材を固着し、該内部材の雌ねじを継手部材に形成した雄ねじ部に螺合することで、前部軸筒と後部軸筒とを着脱自在に連結してなる軸筒の連結構造において、少なくとも金属製の前部軸筒または後部軸筒を継手部材に螺合して締め付けた際に、継手部材のフランジ部を傷つけないような構造にするものである。
【課題を解決するための手段】
【０００８】
本発明は、
「１．軸筒が前部軸筒と後部軸筒とで構成され、外方に突出したフランジ部を有する金属製の継手部材を、フランジ部が外方に露出するように前部軸筒または後部軸筒に固着し、少なくとも金属製の後部軸筒または前部軸筒の内部に樹脂で形成した雌ねじ部を有した内部材を固着し、該内部材の雌ねじを継手部材に形成した雄ねじ部に螺合することで、前部軸筒と後部軸筒とを着脱自在に連結してなる軸筒の連結構造において、前記内部材に、後部軸筒または前部軸筒の継手部材のフランジ部側となる開口端面に当接して前方に位置する先端部を設け、継手部材のフランジ部に前記先端部を嵌入する環状の凹部を設け、継手部材の雄ねじ部に内部材の雌ねじ部を螺合して締め付けた際に、内部材の先端部が継手部材のフランジ部の凹部に嵌入しフランジ部で被覆されることを特徴とする軸筒の連結構造。」
である。
【発明の効果】
【０００９】
本発明は前記したような構造なので、前部軸筒または後部軸筒に固着した金属製の継手部材の雄ねじ部に、金属製の後部軸筒または前部軸筒の雌ねじ部を螺合して締め付けても、継手部材のフランジ部には後部軸筒または前部軸筒に設けた樹脂製の内部材の先端部が当接するので、フランジ部を傷つける虞がない。また、前部軸筒と後部軸筒が連結した際には、樹脂製の先端部は金属製の継手部材で隠されるので、金属製の継手部材と金属製の後部軸筒との間に樹脂が存在することによる色彩や材質感の変化がなく、デザイン的な違和感を生じたりする虞がない。
【発明を実施するための最良の形態】
【００１０】
フランジ部のねじ部に着脱自在に螺合する金属製の前部軸筒または後部軸筒の内部に、開口先端面に当接して前方に位置する先端部を設けた、雌ねじ部を有する樹脂製の内部材を固着する。前記継手部材のフランジ部には、前記内部材の先端部が嵌入可能な凹部を設ける。
【実施例】
【００１１】
本実施例を図面を用いて説明する。本実施例では、先端に金属製のペン先を有した前部軸筒と、インキカートリッジを収納する後部軸筒とで構成される万年筆における軸筒を例にあげて説明するが、万年筆や筆記具における軸筒の連結構造に限定されるものではない。
【００１２】
図１に示すように、本実施例の万年筆における前部軸筒１は、従来より知られた構造である、先細りとした先端部１ａに切割２を有したペン先３を一体に形成して設けた金属製の前軸本体４に、内部に樹脂で形成した内筒５を接着して設けた構造としてある。前部軸筒１の内部には、従来の万年筆と同様に、櫛溝６を有したペン芯７を配設してあり、該ペン芯７の後方にはインキカートリッジ（図示せず）を結合するための小径な結合部８とインキカートリッジの閉塞板を開口するための突片９を有したコネクタ１０を配設してある。コネクタ１０の先端面１０ａとペン芯７の壁面との間には、インキ漏洩防止用のＯリング１１を介在してある。前記内筒５の後方端部５ａには、雌ねじ部１２は設けてある。
【００１３】
図２に示すように、外方に突出したフランジ部１３を略中央部に有する金属製でパイプ状の継手部材１４は、フランジ部１３より前部軸筒１側に位置する前方部分１４ａには前記雌ねじ部１２に螺合可能な雄ねじ部１５を設けてあり、前記前方部分１４ａと反対側のフランジ部１３より後方部分１４ｂには雄ねじ部１６を設けてある。フランジ部１３の後方部分１４ｂ側の端面１７には、凹溝１８を周状に設けてある。継手部材１４を、雄ねじ部１５を内筒の５の雌ねじ部１２に螺合し、さらに接着して前部軸筒１の後端部１ｂに配設してある。フランジ部１３より前方部分１４ａには、装飾用リング体１９を配してあり、前部軸筒１の後端とフランジ部１３とで挟持して固定してある。
【００１４】
図３および図４に示すように、金属製の後部軸筒２０の内部には、樹脂で形成した内部材２１を接着剤により固着してある。内部材２１は、先端に後部軸筒２０の開口端面２０ａに当接して前方に位置する、該開口端面２０ａの外径と略同径に形成したリング状の先端部２２を設けてある。内部材２１の内周面には、継手部材１４のフランジ部１３より後方部分１４ｂに設けた雄ねじ部１６に螺合可能な雌ねじ部２３を設けてある。
【００１５】
図５に示すように、前部軸筒１の後端に固着した継手部材１４のフランジ部１３より後方部分１４ｂに設けた雄ねじ部１６に、前記後部軸筒２０に固着した内部材２１の雌ねじ部２３を螺合することで、前部軸筒１と後部軸筒２０は着脱自在に連結可能であるが、継手部材１４の雄ねじ部１６に内部材２１の雌ねじ部２３を螺合して締め付けると、内部材２１の先端部２２の開口端面２２ａは、継手部材１４のフランジ部１３に設けた凹部１８に嵌入して凹部１８の長手方向に対して立設する壁面１８ａに当接し、前記先端部２２はフランジ部１３で被覆される。
【産業上の利用可能性】
【００１６】
本発明の筆記具の軸筒の連結構造は、万年筆におけるペン先やペン芯を有した前部軸筒とインキカートリッジを収容する後部軸筒との連結の際に、ボールペン等におけるノック式や回転式等の繰出機構を有した後部軸筒とボールペンレフィル等を収容する前部軸筒との連結の際に利用できる。本発明は、筆記具以外の２つの軸筒を着脱自在に連結する連結構造としても利用できる。
【図面の簡単な説明】
【００１７】
【図１】本発明の実施例を構成する、前部軸筒の縦断面図である。
【図２】図１において、前部軸筒に固着した継手部材の縦断面図である。
【図３】本発明の実施例を構成する、後部軸筒の縦断面図である。
【図４】図２において、後部軸筒に固着した内部材の縦断面図である。
【図５】本発明の実施例を示す、前部軸筒と後部軸筒を連結した状態を示した縦断面図である。
【符号の説明】
【００１８】
１  前部軸筒
１３  フランジ部
１４  継手部材
１５、１６  雄ねじ部
１８  凹部
１８ａ  壁面
２０  後部軸筒
２１  内部材
２２  先端部
２３  雌ねじ部
【図１】
2010052309.tif 000003
【図２】
2010052309.tif 000004
【図３】
2010052309.tif 000005
【図４】
2010052309.tif 000006
【図５】
2010052309.tif 000007